(57)【要約】【課題】  検出対象の動きを主観的および直感的に知ることができる技術的手段を提供する。【解決手段】  音響動き検出装置１の送信装置１００は、人間が聴取困難な高域の周波数ｆ１の音を検出対象に向けてスピーカ１０３から放音する。音響動き検出装置１の受信装置２００は、検出対象が動くことによって生じるドップラーシフトに基づいた反射音をマイク２０１によって取得する。受信装置２００は、取得した反射音に周波数ｆ２の正弦波を乗算器２０３において乗算することで、取得した反射音の周波数を可聴域にシフトする。受信装置２００は、可聴域にシフトされた音から送信装置１００が放音する高域の音に相当する成分をノッチフィルタ２０８によって除去した後にスピーカ２１０から放音する。【選択図】図１
2016020861.tif 000002
【特許請求の範囲】
【請求項１】
人間が聴取困難な高域の音を放音する送信装置と、
受信装置と、を具備し、
前記受信装置は、
検出対象に到達した前記高域の音が前記検出対象によって反射することにより生じる反射音を取得する収音手段と、
前記収音手段が取得した前記反射音の周波数を人間が聴取容易な可聴域にシフトする周波数変換手段と、
前記周波数変換手段によって前記可聴域にシフトした音を放音する放音手段と、
を有することを特徴とする音響動き検出装置。
【請求項２】
前記周波数変換手段は、前記収音手段が取得する前記反射音の周波数成分に前記送信装置が放音する前記高域の音の周波数よりも少し低い周波数の信号を乗算する第１の乗算器を有することを特徴とする請求項１に記載の音響動き検出装置。
【請求項３】
前記周波数変換手段は、前記第１の乗算器において前記反射音の周波数成分と乗算する信号の周波数よりも低い周波数の信号を、前記第１の乗算器の出力に乗算する第２の乗算器を有することを特徴とする請求項２に記載の音響動き検出装置。
【請求項４】
前記周波数変換手段は、前記収音手段が取得する前記反射音に含まれる前記送信装置が放音する前記高域の音の成分を取り除くノッチフィルタを有することを特徴とする請求項１から３のいずれか１の請求項に記載の音響動き検出装置。
【請求項５】
前記送信装置が放音する前記高域の音と前記受信装置が放音する前記可聴域にシフトした音の両方を同一の放音手段から放音するようにしたことを特徴とする請求項１から４のいずれか１の請求項に記載の音響動き検出装置。
【発明の詳細な説明】
【技術分野】
【０００１】
この発明は、検出対象の動きを音響的に検出する装置に関する。
【背景技術】
【０００２】
検出対象（例えば人間など）の動きを検出する装置（以下、動き検出装置という）の一例として、特許文献１に開示された装置がある。特許文献１の動き検出装置は、超音波のドップラーシフト（ドップラー効果）を利用して検出対象の動き（あるいは姿勢）を検出するものである。
【先行技術文献】
【特許文献】
【０００３】
【特許文献１】特許第５２８８４１６号公報
【発明の概要】
【発明が解決しようとする課題】
【０００４】
特許文献１の動き検出装置は、超音波を検出対象に向けて放射し、検出対象からの反射波から超音波のドップラーシフトの周波数シフト量を電気的に検出して、その検出結果をもとに検出対象の動き（あるいは姿勢）が特定の動き（あるいは姿勢）であるか否かを判断し、判断結果が特定の動き（あるいは姿勢）を示すものである場合に警報を発する。この特許文献１の動き検出装置を用いた場合、動き検出装置が検出対象の特定の動きを判断した結果を警報として出力するので、ユーザは、検出対象の動きの有無や動きの内容を自身の感覚により直接に知ることができなかった。すなわち、ユーザは、検出対象の動きを主観的および直感的に知ることができなかった。
【０００５】
この発明は以上のような事情に鑑みてなされたものであり、検出対象の動きを主観的および直感的に知ることができる技術的手段を提供することを目的としている。
【課題を解決するための手段】
【０００６】
この発明は、人間が聴取困難な高域の音を放音する送信装置と、受信装置と、を具備し、前記受信装置は、検出対象に到達した前記高域の音が前記検出対象によって反射することにより生じる反射音を取得する収音手段と、前記収音手段が取得した前記反射音の周波数を人間が聴取容易な可聴域にシフトする周波数変換手段と、前記周波数変換手段によって前記可聴域にシフトした音を放音する放音手段と、を有することを特徴とする音響動き検出装置を提供する。
【０００７】
この発明によれば、人間が聴取困難な高域の音によって検出対象の動きを検出し、その検出結果の高域の音の周波数を人間が聴取容易な可聴域にシフトし、その可聴域にシフトした音を放音する。検出対象が動くと、ドップラーシフトによって検出対象からの反射音の周波数がシフトする。本音響動き検出装置は、そのドップラーシフトによる反射音の周波数の変化を可聴音の周波数の変化、すなわち、可聴音のピッチの変化として出力する。このため、検出対象が受信装置に近づくように動くと、受信装置は、ピッチが高くなる可聴音を放音し、検出対象が受信装置から離れるように動くと、受信装置は、ピッチが低くなる可聴音を放音する。このように、本音響動き検出装置では検出対象の動きを音響的に検出しているため、ユーザは、検出対象の動きに応じた音を直接に聴覚で知覚することができる。従って、本音響動き検出装置を用いれば、ユーザは、検出対象が受信装置に近づくように動くのかあるいは受信装置から離れるように動くのかなどの検出対象の動きを主観的および直感的に感じ取ることができる。
【図面の簡単な説明】
【０００８】
【図１】この発明の第１実施形態である音響動き検出装置１の構成を示すブロック図である。
【図２】検出対象が静止している場合に、同音響動き検出装置１のマイク２０１が収音する反射音の周波数を示す図である。
【図３】検出対象が動いている際の同音響動き検出装置１のマイク２０１が収音する反射音の周波数のシフト範囲を示す図である。
【図４】同音響動き検出装置１の乗算器２０３の出力を示す図である。
【図５】同音響動き検出装置１のノッチフィルタ２０８の出力を示す図である。
【図６】この発明の第２実施形態である音響動き検出装置１Ａの構成を示すブロック図である。
【発明を実施するための形態】
【０００９】
以下、図面を参照し、この発明の実施形態について説明する。
＜第１実施形態＞
この発明の第１実施形態による音響動き検出装置１は、検出対象（例えば人間など）の動きを音響的に検出する装置である。図１は、本実施形態による音響動き検出装置１の構成を示すブロック図である。図１に示すように、音響動き検出装置１は、送信装置１００と受信装置２００とから構成される。送信装置１００は、検出対象の動きを検出するのに用いる人間が聴取困難な高域の音を検出対象に向けて放音する装置である。以後、本明細書では、検出対象の動きを検出するのに用いる人間が聴取困難な高域の音をキャリア音と呼ぶ。受信装置２００は、検出対象に到達したキャリア音が検出対象によって反射することにより生じる反射音を取得し、取得した反射音の周波数を人間が聴取容易な可聴域にシフトし、当該可聴域にシフトした音を放音する装置である。受信装置２００が取得する反射音には、検出対象が動くことによって生じるドップラーシフトに基づいた音（すなわち、送信装置１００が放音するキャリア音の周波数に対して周波数がシフトした音）が含まれる。このため、受信装置２００は、このドップラーシフトに基づいた音の周波数を当該可聴域にシフトして、当該可聴域にシフトしたドップラーシフトに基づいた音を放音する。具体的には、検出対象が受信装置２００に近づくように動くと、受信装置２００は、送信装置１００が放音する音の周波数よりも少し高い周波数の音を取得する。この場合、受信装置２００は、取得した音の周波数を可聴域にシフトして、可聴域における所定のピッチよりもピッチが高い音を放音する。同様に、検出対象が受信装置２００から遠ざかるように動くと、受信装置２００は、送信装置１００が放音する音の周波数よりも少し低い周波数の音を取得する。この場合、受信装置２００は、取得した音の周波数を可聴域にシフトして、可聴域における所定のピッチよりもピッチが低い音を放音する。このように、受信装置２００は、検出対象の動きに応じて、ピッチが変化した可聴音を放音する。以上が、音響動き検出装置１の構成の概略である。以下、音響動き検出装置１の構成を詳細に説明する。
【００１０】
まず、送信装置１００について説明する。図１に示すように、送信装置１００は、正弦波発生装置１０１、ゲイン調整器１０２およびスピーカ１０３を含んでいる。
【００１１】
正弦波発生装置１０１は、周波数ｆ１のキャリア音の信号（以下、キャリア信号と呼ぶ）を発生させる装置である。正弦波発生装置１０１により生じるキャリア信号は、人間が聴取困難な高い周波数の正弦波である。具体的には、例えば、キャリア信号は、１８ｋＨｚの正弦波である。正弦波発生装置１０１は、音響動き検出装置１の動作時に常にこの正弦波を発生させる。
【００１２】
ゲイン調整器１０２は、正弦波発生装置１０１が出力するキャリア信号の信号レベルを調整する装置である。ゲイン調整器１０２は、Ｄ／Ａ変換器および増幅回路を含んでいる。ゲイン調整器１０２は、キャリア信号を増幅してスピーカ１０３に出力する。より詳細には、ゲイン調整器１０２は、検出の対象となる空間（以下、対象空間と呼ぶ）の暗騒音の信号レベルに対する検出対象からの反射音の信号レベルの比（Ｓ／Ｎ比）が充分に大きくなるようにキャリア信号を増幅する。
【００１３】
スピーカ１０３は、ゲイン調整器１０２から与えられる信号に応じた音を対象空間に放音する装置である。スピーカ１０３は、音響放射面を検出対象に向けて配置される。すなわち、スピーカ１０３は、周波数ｆ１のキャリア音を検出対象に向けて放音する。
以上が、送信装置１００の構成である。
【００１４】
次に、受信装置２００について説明する。図１に示すように、受信装置２００は、マイク２０１、高域通過フィルタ（ＨＰＦ：Ｈｉｇｈ  Ｐａｔｈ  Ｆｉｌｔｅｒ）２０２、乗算器２０３および２０５、正弦波発生装置２０４および２０６、低域通過フィルタ（ＬＰＦ：Ｌｏｗ  Ｐａｔｈ  Ｆｉｌｔｅｒ）２０７、ノッチフィルタ２０８、ゲイン調整器２０９およびスピーカ２１０を含んでいる。
【００１５】
マイク２０１は、対象空間に配置されて対象空間の音を収音し、その収音した音に応じた信号を出力する装置である。より詳細には、マイク２０１は、送信装置１００のスピーカ１０３が放音するキャリア音が検出対象に到達して反射したときの反射音を収音するための装置である。マイク２０１は、音響収音面を検出対象に向けた姿勢で所定の位置に固定される。検出対象からの反射音を容易に収音可能にするためである。具体的には、マイク２０１は、送信装置１００のスピーカ１０３の位置とほぼ同様の位置に固定されるのが好ましい。スピーカ１０３が放音する周波数ｆ１（本実施形態では１８ｋＨｚ）のキャリア音は、可聴音に比べて直進性が高いからである。
【００１６】
マイク２０１が収音する検出対象からの反射音の周波数は、検出対象の静動によって変わる。図２は、検出対象が対象空間内で静止している場合に、マイク２０１が収音する反射音の周波数を示す図である。図２に示すように、検出対象が静止している場合には、マイク２０１は、スピーカ１０３が放音する周波数ｆ１のキャリア音を含んだ音を収音する。
【００１７】
一方、検出対象が動いている場合には、マイク２０１は、ドップラーシフトによって周波数が周波数ｆ１からシフトされた音を収音する。図３は、検出対象が対象空間内で動いている際のマイク２０１が収音する反射音の周波数シフト範囲を示す図である。図３の上側シフト領域ｆｕ１は、ドップラーシフトによって周波数ｆ１よりも高域側に周波数シフトされる際の周波数シフト範囲を示している。また、下側シフト領域ｆｄ１は、ドップラーシフトによって周波数ｆ１よりも低域側に周波数シフトされる際の周波数シフト範囲を示している。
【００１８】
ドップラーシフトについて詳細に説明する。マイク２０１は、検出対象からの反射音を収音するため、観測者とみなすことができる。マイク２０１は、所定の位置に固定されているため動かない。一方、検出対象は、スピーカ１０３が放音する周波数ｆ１のキャリア音を反射するため、周波数ｆ１のキャリア音を放音する音源とみなすことができる。このため、検出対象が動くということは、音源が動くということに相当する。このため、マイク２０１が収音する検出対象からの反射音の周波数は、以下のドップラーシフトの式（式（１））に従った周波数ｆ´にシフトする。
ｆ´＝ｆ１×Ｖ／（Ｖ−ｖｓ）      ・・・（１）
なお、Ｖは音速、ｖｓは音源の動く速度（検出対象の動く速度）である。
【００１９】
検出対象がマイク２０１に近づく方向に動く場合、検出対象からの反射音の進行方向と検出対象の移動方向が同じになるため、式（１）の（Ｖ−ｖｓ）はＶよりも小さくなる。このため、検出対象からの反射音の周波数ｆ´は、キャリア音の周波数ｆ１よりも高くなる。すなわち、この場合、マイク２０１は、上側シフト領域ｆｕ１内に周波数シフトされた音を収音する。一方、検出対象がマイク２０１から離れる方向に動く場合、検出対象からの反射音の進行方向と検出対象の移動方向が反対になるため、式（１）の（Ｖ−ｖｓ）はＶよりも大きくなる。このため、検出対象からの反射音の周波数ｆ´は、キャリア音の周波数ｆ１よりも低くなる。すなわち、この場合、マイク２０１は、下側シフト領域ｆｄ１内に周波数シフトされた音を収音する。また、上記式（１）に示すように、周波数ｆ１からの周波数シフト量は、検出対象の動く速度に相応する。例えば、検出対象である人間がマイク２０１に向かって時速１０ｋｍで走って近づいた場合、ドップラーシフトによる周波数シフト量は、１５０Ｈｚ程度である。この例を考慮すれば、上側シフト領域ｆｕ１の周波数帯域幅および下側シフト領域ｆｄ１の周波数帯域幅は、各々数百Ｈｚ程度である。このため、上側シフト領域ｆｕ１内の各周波数の音および下側シフト領域ｆｄ１内の各周波数の音も、周波数ｆ１の音と同様に、人間が聴取困難な音である。
【００２０】
図１に示す高域通過フィルタ２０２は、遮断周波数よりも高域の周波数成分を通過させ、遮断周波数よりも低域の周波数成分を低減させるフィルタである。高域通過フィルタ２０２は、マイク２０１が収音した音の低域周波数成分を取り除き、周波数ｆ１付近の帯域（すなわち、上側シフト領域ｆｕ１および下側シフト領域ｆｄ１を含む帯域）の周波数成分を抽出する。
【００２１】
正弦波発生装置２０４は、キャリア信号の周波数ｆ１よりも少し低い周波数ｆ２の正弦波を発生させる装置である。より詳細には、正弦波発生装置２０４が生成する正弦波の周波数ｆ２は、下側シフト領域ｆｄ１の最下限の周波数よりも少し低い周波数である。具体的には、キャリア信号の周波数ｆ１よりも数百Ｈｚ程度低い周波数である。正弦波発生装置２０４は、生成した周波数ｆ２の正弦波を乗算器２０３に出力する。
【００２２】
乗算器２０３は、高域通過フィルタ２０２が出力する周波数ｆ１付近の帯域の周波数成分に正弦波発生装置２０４が出力する周波数ｆ２の正弦波を乗算する装置である。換言すると、乗算器２０３は、マイク２０１が取得する反射音の周波数成分に送信装置１００が放音する高域の音の周波数よりも少し低い周波数ｆ２の信号を乗算する装置である。乗算器２０３は、このような乗算をすることで、周波数ｆ１付近の周波数に周波数ｆ２を加えた周波数の信号と周波数ｆ１付近の周波数から周波数ｆ２を引いた周波数の信号を出力する。
【００２３】
図４は、周波数ｆ１付近の周波数から周波数ｆ２を引いた周波数の信号に着目した際の乗算器２０３の出力を示す図である。図４では、周波数ｆ１付近の周波数に周波数ｆ２を加えた周波数の信号は省略している。図４に示すように、検出対象からの反射音の周波数が周波数ｆ１の場合、乗算器２０３は、周波数ｆ１から周波数ｆ２を引いた周波数ｆ１−ｆ２の信号を出力する。周波数ｆ１−ｆ２は、具体的には、数百Ｈｚ程度である。また、検出対象からの反射音の周波数がドップラーシフトによって周波数ｆ１から周波数ｆαだけシフトした周波数ｆ１＋ｆα（あるいはｆ１−ｆα）の場合、乗算器２０３は、周波数ｆ１−ｆ２に対して周波数ｆαだけ高域側にシフトした周波数ｆ１−ｆ２＋ｆα（あるいは、周波数ｆ１−ｆ２に対して周波数ｆαだけ低域側にシフトした周波数ｆ１−ｆ２−ｆα）の信号を出力する。このため、周波数ｆ１−ｆ２における上側シフト領域ｆｕ２の周波数帯域幅は、周波数ｆ１における上側シフト領域ｆｕ１の周波数帯域幅に対応しており、周波数ｆ１−ｆ２における下側シフト領域ｆｄ２の周波数帯域幅は、周波数ｆ１における下側シフト領域ｆｄ１に対応している。周波数ｆ１−ｆ２が数百Ｈｚ程度であり、上側シフト領域ｆｕ２の周波数帯域幅および下側シフト領域ｆｄ２の周波数帯域幅も数百Ｈｚ程度であるため、上側シフト領域ｆｕ２内の各周波数の音および下側シフト領域ｆｄ２内の各周波数の音は、人間が聴取容易な可聴域の音である。従って、乗算器２０３は、マイク２０１が取得した検出対象からの人間が聴取困難な反射音の周波数を人間が聴取容易な可聴域にシフトする周波数変換手段である。
【００２４】
正弦波発生装置２０６は、周波数ｆ２よりも低い周波数ｆ３の正弦波を発生させる装置である。正弦波発生装置２０６は、生成した周波数ｆ３の正弦波を乗算器２０５に出力する。また、正弦波発生装置２０６は、周波数ｆ３を変えることが可能な構成になっている。例えば、正弦波発生装置２０６は、周波数調整ノブのような操作子を含んでおり、ユーザによる操作子の操作に従って周波数ｆ３が変化する、という具合である。
【００２５】
乗算器２０５は、乗算器２０３の出力に正弦波発生装置２０４が出力する周波数ｆ３の正弦波を乗算する装置である。換言すると、乗算器２０５は、乗算器２０３において反射音の周波数成分と乗算する信号の周波数よりも低い周波数の信号を、乗算器２０３の出力に乗算する装置である。乗算器２０５は、このような乗算をすることで、乗算器２０３が出力する信号の周波数に周波数ｆ３を加えた周波数の信号と乗算器２０３が出力する信号の周波数から周波数ｆ３を引いた周波数の信号を出力する。すなわち、乗算器２０５は、可聴域にシフトした後の信号の周波数に対して周波数ｆ３だけ高い周波数の信号成分と可聴域にシフトした後の信号の周波数に対して周波数ｆ３だけ低い周波数の信号成分とを出力する。従って、乗算器２０５は、人間が聴取容易な可聴域にシフトした後の周波数を人間が聴取容易な可聴域内においてシフトする周波数変換手段である。このため、正弦波発生装置２０６および乗算器２０５は、可聴域へシフトした後の周波数成分が示す音のピッチを可聴域内において調整する役割を果たす。
【００２６】
低域通過フィルタ２０７は、遮断周波数よりも低域の周波数成分を通過させ、遮断周波数よりも高域の周波数成分を低減させるフィルタである。低域通過フィルタ２０７は、前段の乗算器２０３および２０５によって生じた不要な高域成分を取り除く。具体的には、低域通過フィルタ２０７は、乗算器２０３における周波数ｆ１付近の周波数に周波数ｆ２を加えた周波数の信号成分や乗算器２０５における乗算器２０３が出力する信号の周波数に周波数ｆ３を加えた周波数の信号成分を取り除く。低域通過フィルタ２０７の出力は、ノッチフィルタ２０８に引き渡される。
【００２７】
ノッチフィルタ２０８は、可聴域へシフトされてピッチ調整の行われた後のキャリア信号の周波数成分を低減し、その他の周波数成分を通過させるフィルタである。図５は、ノッチフィルタ２０８の出力を示す図である。図５に示すように、ノッチフィルタ２０８は、可聴域にシフトされたキャリア信号の周波数成分を含まない信号であり、かつ、可聴域にシフトされた上側シフト領域内の周波数成分および同下側シフト領域内の周波数成分を含む信号を出力する。すなわち、ノッチフィルタ２０８は、ドップラーシフトによって生じた周波数成分のみを出力する。
【００２８】
ゲイン調整器２０９は、ノッチフィルタ２０８の出力の信号レベルを調整する装置である。ゲイン調整器２０９は、ゲイン調整器１０２と同様の構成であり、Ｄ／Ａ変換器および増幅器を含んでいる。ゲイン調整器２０９は、ノッチフィルタ２０８の出力を増幅してスピーカ２１０に出力する。ゲイン調整器２０９は、ゲイン調整量（増幅量）をユーザに操作させる操作子を含んでいる。すなわち、ゲイン調整器２０９は、スピーカ２１０の音量を操作子の操作に従った音量に調整する役割を担う。
【００２９】
スピーカ２１０は、ゲイン調整器２０９から与えられる信号に応じた音を空間に放音する装置である。スピーカ２１０は、検出対象に動きがあった場合にのみ、その動きに応じた周波数の可聴音を放音する。具体的には、スピーカ２１０は、検出対象がマイク２０１に近づく方向に動く場合、所定周波数（周波数ｆ３によって調整された周波数）の可聴音に対して少し周波数の高い（ピッチの高い）可聴音を放音する。そして、検出対象の近づく速度が変われば、可聴音のピッチの高さも変わる。一方、スピーカ２１０は、検出対象がマイク２０１から遠ざかる方向に動く場合、同所定周波数の可聴音に対して少し周波数の低い（ピッチの低い）可聴音を放音する。そして、検出対象の遠ざかる速度が変われば、可聴音のピッチの低さも変わる。このように、スピーカ２１０は、検出対象の動きに応じたピッチの可聴音を検出対象の動きに同期して放音する。
【００３０】
また、スピーカ２１０は、検出結果の可聴音を聴取するユーザがいる空間に配置される。このため、ユーザが対象空間とは異なる空間において検出結果の可聴音を確認する場合には、スピーカ２１０は、対象空間とは異なる空間に配置される。一方、ユーザが対象空間において検出結果の可聴音を確認する場合には、スピーカ２１０は、対象空間と同じ空間に配置される。
【００３１】
このように、本実施形態による音響動き検出装置１では、検出対象の動きを可聴音の変化（具体的には可聴音のピッチの変化）として直接に検出することができる。すなわち、検出対象の動きを、ユーザが直接に聴覚で知覚することができる。このため、ユーザは、検出対象の動きを主観的および直感的に感じ取ることができる。また、音響動き検出装置１では、聴覚を使用して検出結果を確認するため、他の目視作業や手作業をしながらでも検出対象の動きを確認することができる。加えて、検出結果を表示装置に表示する検出装置に比べ、目が不自由な人でも検出対象の動きを確認することができる。また、音響動き検出装置１では、検出対象の動きを可聴音の変化で表現しているため、検出対象の画像や映像を用いずに検出対象の動きを確認することができる。このため、検出対象の画像や映像を用いる態様、例えば、検出対象をカメラで撮影してその動きを表示装置に表示する態様に比べ、検出対象のプライバシー（例えば、肖像的なプライバシー）に配慮をしつつ、検出対象の動きを検出することができる。
【００３２】
また、本実施形態による音響動き検出装置１は、ノッチフィルタ２０８を含んでいる。このノッチフィルタ２０８を設けた理由は、次の通りである。検出対象が静止している場合、受信装置２００は、送信装置１００が放音する周波数ｆ１の正弦波の音を取得し、その取得した音の周波数を可聴域にシフトする。この場合、受信装置２００のスピーカ２１０からは、可聴域にシフトした正弦波の純音が定常的に放音されることとなる。この純音は、ユーザに聴感上の不快感を与える。そこで、音響動き検出装置１では、この純音を放音しないようにするためにノッチフィルタ２０８を設けた。このノッチフィルタ２０８を設けることで、ユーザに聴感上の不快感を与えるのを回避することができる。
【００３３】
また、本実施形態による音響動き検出装置１の正弦波発生装置１０１は、具体的には１８ｋＨｚの正弦波を発生していた。１８ｋＨｚの周波数は、人間が聴取困難な周波数であり、かつ、市場に広く流通している通常のスピーカやマイクを適切に動作させることが可能な周波数である。このため、音響動き検出装置１では、スピーカ１０３およびマイク２０１として市場に広く流通している通常のスピーカやマイクを利用することができる。従って、価格の上昇を抑えつつ音響動き検出装置１を実現することができる。
【００３４】
また、本実施形態による音響動き検出装置１の正弦波発生装置２０４は、周波数ｆ１よりも数百Ｈｚ程度低い周波数ｆ２の正弦波を出力している。このため、ユーザは、乗算器２０３の出力における上側シフト領域ｆｕ２内の周波数成分の音と下側シフト領域ｆｄ２内の周波数成分の音の両方を適切に聴くことができる。これに対して、例えば、正弦波発生装置２０４が出力する正弦波の周波数ｆ２を周波数ｆ１と同じにすると、周波数ｆ１の周波数成分を可聴域にシフトした後の周波数成分は直流成分に重なり、上側シフト領域ｆｕ２内の周波数成分の音は聴くことができるが、下側シフト領域ｆｄ２内の周波数成分の音はカットされて聴くことができなくなる。また、周波数ｆ２を周波数ｆ１よりも高くすると、下側シフト領域ｆｕ２内の周波数成分の音に加えて上側シフト領域ｆｕ２内の周波数成分の音もカットされて聴くことができなくなる。従って、周波数ｆ２を周波数ｆ１以上の周波数にするのは好ましくない。
【００３５】
また、音響動き検出装置１は、送信装置１００のスピーカ１０３から人間が聴取困難な高域の音を放音している。鼠はこのような高域の音を聴取可能である、と言われている。このため、送信装置１００の放音する高域の音によって鼠にストレスを与えることができ、鼠を送信装置１００から遠ざけることができる。従って、音響動き検出装置１は、防鼠器としての効果も期待できる。
【００３６】
なお、本実施形態による音響動き検出装置１では、キャリア音を検出対象に向けて放音していた。しかし、キャリア音は、必ずしも検出対象に向けて放音されなくても良い。キャリア音は、少なくとも対象空間に放音されていれば良い。キャリア音が対象空間に放音されていれば、対象空間内に入ってくる検出対象の動きを検出することができるからである。また、本実施形態による音響動き検出装置１では、キャリア音を放音するスピーカ１０３および反射音を収音するマイク２０１を各々固定していた。しかし、これらスピーカ１０３およびマイク２０１は、各々固定されていなくても良い。これらが固定されていなくてもドップラーシフトに基づく周波数シフトされた音が反射音に含まれることに変わりはないからである。また、検出結果の可聴音を放音するスピーカ２１０も固定されていなくても良い。
【００３７】
本実施形態による音響動き検出装置１は、種々の用途に応用することが可能である。第１の応用例として、独居老人を見守るシステムに応用することが考えられる。この態様では、独居老人を検出対象とし、見守る側の人に検出結果の可聴音を放音するようにすれば良い。このようにすることで、所定時間に亙って独居老人に動きがないなどの状態を、見守る側の人が知ることができる。さらに、高齢者は高域の音を聴き取り難いという性質があるため、この態様では、送信装置１００からの高域のキャリア音を聴き取ることによる不快感を高齢者に与える虞も少ない。
【００３８】
第２の応用例として、音響動き検出装置１をジェスチャーセンサとして利用することが考えられる。音響動き検出装置１は、例えば人間の指の動きなどの検出対象の小さな動きを検出して放音することができるからである。
【００３９】
第３の応用例として、音響動き検出装置１を通信システムに応用することが考えられる。例えば、離れた空間にいる２人が音響動き検出装置１を用いて通信を行う、という具合である。この態様は、音響動き検出装置１を２個用意し、一方の音響動き検出装置１の送信装置１００を一方の人がいる空間に設置し、当該一方の音響動き検出装置１の受信装置２００を他方の人がいる空間に設置し、他方の音響動き検出装置１の送信装置１００を当該他方の人がいる空間に設置し、当該他方の音響動き検出装置１の受信装置２００を当該一方の人がいる空間に設置することにより実現することができる。このシステム構成により、一方の人がジェスチャーなどを行うと、他方の人がそのジェスチャーに応じた可聴音の変化からジェスチャーの内容を把握することができ、同様に、他方の人がジェスチャーなどを行うと、一方の人がそのジェスチャーに応じた可聴音の変化からジェスチャーの内容を把握することができる。このようにして、離れた空間にいる２人が通信を行うことができる。この態様では、各人のプライバシーに配慮をしつつ、通信を行うことができる。
【００４０】
第４の応用例として、検出対象が接近してくるのを検知するセンサとして利用することが考えられる。例えば、工場などにおける危険エリアへの立ち入りを監視するのに利用する、という具合である。この態様では、例えば、送信装置１００を当該危険エリアに設置し、受信装置２００のスピーカ２１０を監視室などに設置する。危険エリアに人間が近づくと、スピーカ２１０は、ピッチが高く変化する可聴音を放音する。このため、監視室の監視人は、当該危険エリアに人間が近づいていることを知ることができ、加えて、その近づく速さも直感的に知ることができる。
【００４１】
第５の応用例として、車間距離を報知するセンサとして利用することが考えられる。例えば、キャリア音を車の進行方向に放音するように送信装置１００を車に設置し、受信装置２００のスピーカ２１０を車内に設置する。この態様では、音響動き検出装置１を搭載した車が前方の車や障害物などに接近すると、スピーカ２１０は、ピッチが高く変化する可聴音を放音する。このため、車内の人は、車間距離が狭くなっていることを知ることができ、車間距離を保つように車を操作することができる。また、車間距離が狭くなる時に可聴音のピッチが高くなるため、車内の人に、緊張感を与えることができる。
【００４２】
第６の応用例として、スマートホンなどの携帯機器に搭載しても良い。例えば、ユーザがスマートホンの画面を見る姿勢においてキャリア音がユーザの前方に放音されるように送信装置１００を設置する。この態様では、ユーザが他の人や障害物などに衝突しそうになると、スピーカ２１０は、ピッチが高く変化する可聴音を放音する。このため、ユーザは、他の人や障害物に衝突しそうになることを知ることができ、その衝突を回避することができる。また、ユーザに緊張感を与えることができる。
【００４３】
第７の応用例として、音響的なゲームに利用することができる。例えば、ユーザが検出結果の可聴音を聴取する聴取者になるとともに検出対象にもなるように音響動き検出装置１を設置する。そして、ユーザは、検出結果の可聴音が予め用意された所定のピッチ変化のシーケンスに合うように動く、というようなゲームが考えられる。
【００４４】
＜第２実施形態＞
図６は、この発明の第２実施形態による音響動き検出装置１Ａの構成を示すブロック図である。図６に示すように、本実施形態による音響動き検出装置１Ａは、送信装置１００に代えて送信装置１００Ａを有し、受信装置２００に代えて受信装置２００Ａを有する点において第１実施形態による音響動き検出装置１と異なる。
【００４５】
送信装置１００Ａは、スピーカ１０３に代えてスピーカ１０３Ａを有し、さらに加算器１０４Ａを有する点において送信装置１００と異なる。受信装置２００Ａは、スピーカ２１０を削除し、ゲイン調整器２０９の出力を送信装置１００Ａの加算器１０４Ａに引き渡す点において受信装置２００と異なる。加算器１０４Ａは、ゲイン調整器１０２の出力にゲイン調整器２０９の出力を加え合わせる装置である。加算器１０４Ａの出力は、スピーカ１０３Ａに引き渡される。スピーカ１０３Ａは、ゲイン調整器１０２の出力に応じた音とゲイン調整器２０９の出力に応じた音の両方を放音する点においてスピーカ１０３と異なる。すなわち、スピーカ１０３Ａは、キャリア音と検出結果の可聴音の両方を放音する役割を果たす。本実施形態におけるキャリア音は、第１実施形態と同様に、市場に広く流通している通常のスピーカやマイクを適切に動作させることが可能な１８ｋＨｚの音である。このため、スピーカ１０３Ａは、キャリア音と検出結果の可聴音の両方を放音可能である。
【００４６】
音響動き検出装置１Ａでは、音響動き検出装置１に比べ、スピーカの数を少なくしている。このため、音響動き検出装置１Ａでは、音響動き検出装置１に比べ、当該音響動き検出装置１Ａをコンパクトに構成することができる。また、本実施形態による音響動き検出装置１Ａでは、キャリア音と検出結果の可聴音の両方が対象空間に放音される。このため、ユーザが対象空間において検出結果の可聴音を確認する場合に有益である。
【００４７】
＜他の実施形態＞
以上、この発明の第１および第２実施形態について説明したが、この発明には他にも実施形態が考えられる。例えば次の通りである。
【００４８】
（１）上記第１および第２実施形態による音響動き検出装置１および１Ａの送信装置１００および１００Ａでは、１８ｋＨｚの音を空間に放音していた。しかし、送信装置が放音する音の周波数は１８ｋＨｚに限られない。人間が聴取困難な周波数であれば良いからである。例えば、送信装置は、１８ｋＨｚから２０ｋＨｚの間のいずれかの周波数の音を空間に放音しても良い。１８ｋＨｚから２０ｋＨｚの間の周波数は、人間が聴取困難な周波数であり、かつ、市場に広く流通している通常のスピーカやマイクを適切に動作させることが可能な周波数である。従って、この範囲の周波数の音を空間に放音する態様では、上記各実施形態と同様の効果を奏する。また、送信装置は、２０ｋＨｚよりもさらに高い周波数の音、すなわち、超音波を空間に放音しても良い。超音波は、人間が聴取困難な周波数であることに変わりはないからである。なお、送信装置１００が放音する音の周波数を１８ｋＨｚから変える態様は、正弦波発生装置１０１が出力する正弦波の周波数ｆ１を変えることにより実現することができる。
【００４９】
（２）可聴域にシフトした音信号に、その可聴音の音色を変化させるエフェクトを付与しても良い。このエフェクトは、例えば、検出対象の位置、検出対象の移動速度、検出対象の大きさ等の他の情報に応じて変えても良い。例えば、検出対象の大きさが大きい場合にリバーブを付与した音色にする、という具合である。この態様によれば、検出結果の可聴音の音色にバリエーションが生じる。このため、ユーザは、検出結果の可聴音やその可聴音が示す内容をより適切に知ることができる。
【００５０】
（３）上記第１実施形態による音響動き検出装置１では、スピーカ２１０から検出結果の可聴音を放音していた。しかし、検出結果の可聴音は、スピーカ２１０の代わりにゲイン調整器２０９に接続されたイヤホンやヘッドホンから放音されても良い。
【００５１】
（４）上記第１および第２実施形態による音響動き検出装置１および１Ａでは、１個の送信装置１００および１００Ａと１個の受信装置２００および２００Ａを有していた。しかし、送信装置の個数および受信装置の個数は、各１個に限られない。音響動き検出装置は、送信装置および受信装置を複数個有していても良い。送信装置および受信装置を複数個用いれば、検出対象の位置を特定することが可能になるからである。
【００５２】
（５）上記第１および第２実施形態による音響動き検出装置１および１Ａは、検出結果の可聴音のピッチを調整するための正弦波発生装置２０６および乗算器２０５を有していた。しかし、この正弦波発生装置２０６および乗算器２０５を設けないようにしても良い。検出結果の可聴音を放音する点において上記第１および第２実施形態と同様だからである。
【００５３】
（６）上記第１および第２実施形態による音響動き検出装置１および１Ａでは、低域通過フィルタ２０７とゲイン調整器２０９との間にノッチフィルタ２０８を設けていた。しかし、ノッチフィルタ２０８の設けられる位置は、低域通過フィルタ２０７とゲイン調整器２０９の間に限られない。例えば、高域通過フィルタ２０２と乗算器２０３との間に設けても良い。この態様のノッチフィルタは、検出対象からの反射音の周波数を高域から可聴域にシフトする前に、その反射音に含まれるキャリア信号成分を取り除く。この態様においても、上記第１および第２実施形態と同様の効果を奏する。また、ノッチフィルタ２０８を設けないようにしても良い。検出結果の可聴音を放音する点において上記第１および第２実施形態と同様だからである。
【００５４】
（７）上記第１および第２実施形態による音響動き検出装置１および１Ａでは、検出対象からの反射音のドップラーシフトによる周波数の変化を可聴化していた。この検出結果の可聴音を聴くことによってドップラーシフトによる音量の変化も知覚することができる。検出対象がマイク２０１に近い場合、検出対象からの反射音の音量は大きくなり、検出対象がマイク２０１から離れている場合、検出対象からの反射音の音量は小さくなるからである。そこで、この音量の違いを利用して、ユーザに、検出対象の位置を感じさせるようにしても良い。
【符号の説明】
【００５５】
１，１Ａ…音響動き検出装置、１００，１００Ａ…送信装置、１０１，２０４，２０６…正弦波発生装置、１０２，２０９…ゲイン調整器、１０３，１０３Ａ，２１０…スピーカ、１０４Ａ…加算器、２００，２００Ａ…受信装置、２０１…マイク、２０２…高域通過フィルタ、２０３，２０５…乗算器、２０７…低域通過フィルタ、２０８…ノッチフィルタ。
【図１】
2016020861.tif 000003
【図２】
2016020861.tif 000004
【図３】
2016020861.tif 000005
【図４】
2016020861.tif 000006
【図５】
2016020861.tif 000007
【図６】
2016020861.tif 000008